(57)【要約】【課題】圧電素子が生じる振動をより効果的に素子を貼った全体に発生させる振動体を提供する。【解決手段】金属板もしくは導電性シート２の片面もしくは両面に圧電素子１を貼り付けて少なくとも一対の電極線３を設けたセラミック振動子を、その全ての面を封止材５単独もしくは接着剤４を添付した封止材５で隙間無く封止することによって、封止された全体が振動することにより、素子の振動がより効率的に外部へ伝わる。【選択図】  図１
2004306004.tif 000002
【特許請求の範囲】
【請求項１】
金属板もしくは導電性シート２の片面もしくは両面に圧電素子１を貼り付けて少なくとも一対の電極線３を設けたセラミック振動子を用いた振動体であって、該振動体はその全ての面を封止材５で隙間無く覆われていることを構造上の特徴とする振動体。
【請求項２】
封止材５は樹脂あるいは紙あるいは金属あるいはフィルムあるいは布であり、それ単独で１層もしくは接着剤４および封止材５の２層から形成され、セラミック振動子全体が圧着あるいは密着あるいは密閉などの方法により隙間無く封止されることを構造上の特徴とする請求項１記載の振動体。
【請求項３】
スピーカーである請求項１記載の振動体。
【請求項４】
マイクである請求項１記載の振動体。
【請求項５】
電極線３の先にＬＥＤなどの発光体を接続し、圧電素子の振動を受けて電力が発生して発光体が光ることを特徴とする請求項１記載の振動体。
【請求項６】
封止材５は防水性のある素材であり、それを用いて封止された全体が防水性を有することを特徴とする請求項１記載の振動体。
【請求項７】
電極線３は圧電素子１及び金属板もしくは導電性シート２から同一面に設けられており、それら全体を封止材５で封止した水平面に表面印刷が可能であることを特徴とする請求項１記載の振動体。
【発明の詳細な説明】
【０００１】
【発明の属する分野】
外力を受けて振動する圧電素子を封止材で封止した振動体に関する。
【０００２】
【従来の技術】
圧電素子１を金属板もしくは導電性シート２に貼り付けて電極線３を設けたセラミック振動子を添付した全体を振動体として利用する場合、セラミック振動子の片面に樹脂などの素材を貼り付けたり、セラミック振動子の周囲を樹脂などの素材で囲んだり、セラミック振動子を筐体に入れるという方法が用いられている。
【０００３】
【発明が解決しようとする課題】
しかしながら、セラミック振動子の片面に樹脂などを貼り付けた場合、セラミック振動子の振動は樹脂などが貼り付けてある片面にしか伝わらない。また、セラミック振動子の周囲が樹脂などで囲まれている場合は、セラミック振動子の周縁部からしか振動が伝わらない。さらに、セラミック振動子を空間をおいて筐体に収めた場合は、セラミック振動子の振動は筐体の中の空間に吸収されて振動の漏れが生じてしまい、振動が外部に効率良く伝わらない。
【０００４】
本発明はこのような事情に鑑みてなされたものであり、圧電素子１に生じた振動が効率的に全体に伝わる構造を有する振動体を提供することを目的としている。
【０００５】
【課題を解決するための手段】
かかる目的を達成するため、本発明では、図２のように金属板もしくは導電性シート２の片面もしくは両面に圧電素子１を貼り付けて一対の電極線３を設けたセラミック振動子全体を、封止材５単独もしくは接着剤４を添付した封止材５で隙間無く覆い、外力によって圧電素子１に生じた振動が封止された全体に波及することによって、封止された全体がより大きな振動を生じ、圧電素子１の振動を効率良く全体に伝わることを実現させている。
【０００６】
【発明の実施の形態】
＜基本形態＞
以下、図面を参照して本発明の実施の形態について説明する。図３は、本発明の一実施形態における圧電素子を封止した振動体の構成を示すブロック図である。圧電素子１は、図のように金属板もしくは導電性シート２の片面に１枚貼り付けられる場合の他に、金属板もしくは導電性シート２の両面に１枚づつ貼り付けられる場合もある。また、電極線３は図のようにアンプ６に接続される場合の他に、直接音源７に接続される場合もある。
【０００７】
音源７よりアンプ６を通じて増幅された音声信号は、電極線３を通じて圧電素子１に伝送されると、圧電素子１の性質により受信された音声信号としての電気エネルギーが機械エネルギーに変換され、それが振動となって音源からの音波が圧電素子１を通じて発生する。
【０００８】
その際、圧電素子１が発生させた振動はそれが貼り合わされた金属板もしくは導電性シート２に波及し、更にそれらを封止材５で封止した全体にも波及する為、圧電素子１単独の場合よりも、より大きな振動を得られることにより、音源から得られる音量が同じ場合でも、最終的にはより大きな音量を発生させることができる。
【０００９】
さらに図１（ａ）、（ｂ）のように、圧電素子１を貼り付けた金属板もしくは導電性シート２および接着剤４および封止材５が別の層を形成していることにより、それらの素材の特質や組み合わせの仕方によって音質を変えることができる。つまり、素材の性質（硬軟）や素材の形状（大小、厚薄）の違いにより周波数特性が変化することによって、音質を変えることができる。
【００１０】
また、封止材５で圧電素子１を貼り付けた金属板もしくは導電性シート２を封止する際の、封止の仕方（密閉、圧着、密封など）およびかける圧力の違いによって圧電素子１が発生させる振動の大きさが変わるため、音質を変えることができる。
【００１１】
さらに、封止材５で封止された全体が振動体として作用するため、防水性のある封止材を使用することによって、防水性を有した振動体として利用することが可能であり、印刷が可能である封止材を使用することによって、発音する広告媒体などとしての利用も可能になる。
【００１２】
＜第二形態＞
第一形態では、圧電素子１をスピーカーのように振動して音声を発する発音体としての側面において説明したが、第二形態では、同じ圧電素子１をマイクのように外部からの音声を吸収して振動を発する振動体としての側面において説明する。
【００１３】
外部からの音波を受けた圧電素子１は振動するが、圧電素子１の性質として受信した振動としての機械エネルギーが電気エネルギーに変換され、それが接続された電極線３を通じて、別の場所に設置されたスピーカーなどから音声信号を発生させることができる。
【００１４】
この場合においても、音波を受けた圧電素子１の振動の大きさ、つまり音質を決定する要素の一つである周波数特性は、圧電素子１を貼り付けた金属板もしくは導電性シート２および接着剤４および封止材５が別の層を形成していることにより、それらの素材の特質や組み合わせの仕方によって変化する。
【００１５】
＜変形・応用等の例＞
以上、本発明の基本的な実施形態について説明したが、本発明の実施の形態は上述したものに限られるわけではなく、例えば次のような変形ないし応用等も可能である。
【００１６】
上記実施形態では、電極線３は音源７または音源と接続されたアンプ６につながれており、封止材５で封止された全体は音声の出入力の強さを変える層を形成したものとして機能していたが、電極線３にＬＥＤなどの発光体を接続し、発光の強さを変える層を形成したものとして機能させることも可能である。
【００１７】
【発明の効果】
以上説明したように本発明によれば、外力によって圧電素子１に生じた振動が圧電素子１が封止された全体に波及することによって、封止された全体がより大きな振動を生じ、圧電素子１の振動が効率的に全体に伝わることによって、より大きな音量やＬＥＤの光を得られることが可能になる。
また、封止材５の選択により、防水性や印刷可能な振動体としての特徴をもたせることもできる。
【図面の簡単な説明】
【図１】（ａ）  本発明の振動体を示し、図２Ａ−Ａに沿う断面図である。
（ｂ）  接着剤４を用いる場合の本発明の振動体を示し、図２Ａ−Ａに沿う断面図である。
【図２】本発明の振動体を示す平面図である。
【図３】本発明の一実施形態における振動体の構成を示すブロック図である。
【符号の説明】
１  圧電素子
２  金属板もしくは導電性シート
３  電極線
４  接着剤
５  封止材
６  アンプ
７  音源
【図１】
2004306004.tif 000003
【図２】
2004306004.tif 000004
【図３】
2004306004.tif 000005